(57)【要約】      （修正有）【課題】見守られる側の精神的負担の軽減も可能な、高齢者のみの世帯などを遠隔地から見守る手段を提供する。【解決手段】見守られる側の利用者に所持される第一情報端末3、見守る側の利用者に所持される第二情報端末4並びに見守り管理サーバ1がインターネットWを介して接続される。見守り管理サーバ1は、第一情報端末3上で、予めインストールされた特定のアプリケーションソフトウエアを起動した旨等のアプリケーションソフトウエア動作情報が送信された場合に同動作情報を受信するアプリケーションソフトウエア動作情報受信部123と、そのアプリケーションソフトウエア動作情報を受信していないと判定され、アプリケーションソフトウエア動作情報の受信がなかった時間が予め設定された限界時間内を超過していると判定された場合に、第二情報端末4に異常検知情報を送信する異常検知情報送信部127とを備える。【選択図】図１
2016027450.tif 000002
【特許請求の範囲】
【請求項１】
見守られる側の利用者に所持される第一情報端末、見守る側の利用者に所持される第二情報端末、並びに見守り管理サーバがインターネットを介して接続され、
前記見守り管理サーバは、
前記第一情報端末上で、予めインストールされた特定のアプリケーションソフトウエアに基づく操作が行われた旨、若しくは該アプリケーションソフトウエアが起動又は終了された旨のアプリケーションソフトウエア動作情報が第一情報端末から送信された場合に該動作情報を受信するアプリケーションソフトウエア動作情報受信部と、
前記アプリケーションソフトウエア動作情報の受信の有無を判定するアプリケーションソフトウエア動作情報受信有無判定部と、
前記アプリケーションソフトウエア動作情報受信有無判定部において該動作情報を受信したと判定された場合に、前記第一情報端末上で前記アプリケーションソフトウエアが動作した旨の報告情報を前記第二情報端末に送信するアプリケーションソフトウエア動作報告送信部と、
前記アプリケーションソフトウエア動作情報受信有無判定部において該動作情報を受信していないと判定された場合に、前記アプリケーションソフトウエア動作情報を受信していない時間が、予め設定された限界時間を超過したか否かを判定するアプリケーションソフトウエア無動作限界時間超過有無判定部と、
前記アプリケーションソフトウエア動作情報の受信がなかった時間が予め設定された限界時間内を超過していると判定された場合に前記第二情報端末に異常検知情報を送信する異常検知情報送信部と、を備え、
前記第二情報端末の所持者が、前記アプリケーションソフトウエア動作情報の受信の有無により前記第一情報端末の所持者の見守りを行う見守りシステム。
【請求項２】
前記第一情報端末以外の情報端末がインターネットを介して接続されるとともに、前記アプリケーションソフトウエアが前記第一情報端末以外の情報端末にもインストールされ、
該アプリケーションソフトウエアが、
(1)前記第一情報端末以外の情報端末での処理を実行するためのプログラムであって、該アプリケーションソフトウエアに基づく操作を行うことにより前記第一情報端末へ伝送データを送信する処理を実行するためのプログラム、及び、
(2)前記第一情報端末での処理を実行するためのプログラムであって、前記第一情報端末以外の情報端末より送信された伝送データを前記第一情報端末が受信した際に、該第一情報端末にダイアログ画面を表示する処理を実行するためのプログラム、を含み、
前記第一情報端末の所持者が前記ダイアログ画面で指定された操作を行った際に、前記第一情報端末上で該アプリケーションソフトウエアに基づく操作が行われた旨のアプリケーションソフトウエア動作情報が第一情報端末から前記見守り管理サーバへ送信される請求項1記載の見守りシステム。
【請求項３】
前記アプリケーションソフトウエアが、インターネット上の特定のコンテンツにアクセスする処理を実行するためのプログラムを含み、
前記第一情報端末の所持者による該端末上での操作により前記アプリケーションソフトウエアが起動又は終了された際に、該アプリケーションソフトウエアが起動又は終了された旨のアプリケーションソフトウエア動作情報が第一情報端末から前記見守り管理サーバへ送信される請求項1又は請求項2記載の見守りシステム。
【請求項４】
前記第二情報端末の所持者が前記第一情報端末の所持者の見守りを行いたい場合に前記第二情報端末より送信される見守り許可要求を受信する見守り許可要求受信部と、
前記見守り許可要求を受信した旨を前記第一情報端末に通知する見守り許可要求受信情報送信部と、
前記見守り許可要求受信情報の受信に対する応答として前記第一情報端末より見守りを許可する旨の通知が送信された場合に同通知を受信する見守り許可通知受信部と、をさらに備え、
前記第一情報端末の所持者による見守り許可があった場合に、前記第二情報端末の所持者が前記第一情報端末の所持者の見守りを開始する請求項1〜3のいずれか一項記載の見守りシステム。
【請求項５】
前記異常検知情報の送信先を、前記第二情報端末を含む複数に予め設定することが可能な請求項1〜4のいずれか一項記載の見守りシステム。
【請求項６】
それぞれインターネットを介して接続された、見守られる側の利用者に所持される第一情報端末、見守る側の利用者に所持される第二情報端末、並びに見守り管理サーバによって実行される見守り方法であって、
前記見守り管理サーバ上での処理として、
前記第一情報端末上で、予めインストールされた特定のアプリケーションソフトウエアに基づく操作が行われた旨、若しくは該アプリケーションソフトウエアが起動又は終了された旨のアプリケーションソフトウエア動作情報が前記第一情報端末から送信された場合に該動作情報を受信するステップと、
前記アプリケーションソフトウエア動作情報の受信の有無を判定するステップと、
前記アプリケーションソフトウエア動作情報受信有無判定部において該動作情報を受信したと判定された場合に、前記第一情報端末上の前記アプリケーションソフトウエアが動作した旨の報告情報を前記第二情報端末に送信するステップと、
前記アプリケーションソフトウエア動作情報受信有無判定部において該動作情報を受信していないと判定された場合に、前記アプリケーションソフトウエア動作情報を受信していない時間が、予め設定された限界時間を超過したか否かを判定するステップと、
前記アプリケーションソフトウエア動作情報の受信がなかった時間が予め設定された限界時間内を超過していると判定された場合に前記第二情報端末に異常検知情報を送信するステップと、を含み、
前記第二情報端末の所持者が、前記アプリケーションソフトウエア動作情報の受信の有無により前記第一情報端末の所持者の見守りを行う見守り方法。
【請求項７】
前記第一情報端末以外の一又は複数の情報端末がインターネットを介して接続されるとともに、前記アプリケーションソフトウエアが前記第一情報端末以外の情報端末にもインストールされ、
該アプリケーションソフトウエアが、
(1)前記第一情報端末以外の情報端末での処理を実行するためのプログラムであって、該アプリケーションソフトウエアに基づく操作を行うことにより前記第一情報端末へ伝送データを送信する処理を実行するためのプログラム、及び、
(2)前記第一情報端末での処理を実行するためのプログラムであって、前記第一情報端末以外の情報端末より送信された伝送データを前記第一情報端末が受信した際に、該第一情報端末にダイアログ画面を表示する処理を実行するためのプログラム、を含み、
前記第一情報端末上での処理として、
前記第一情報端末以外の情報端末より送信された伝送データを前記第一情報端末が受信した際に、ダイアログ画面を表示するステップと、
前記第一情報端末の所持者が前記ダイアログ画面で指定された操作を行った際に、前記アプリケーションソフトウエアに基づく操作が行われた旨のアプリケーションソフトウエア動作情報を前記見守り管理サーバへ送信するステップと、を含む請求項6記載の見守り方法。
【請求項８】
前記アプリケーションソフトウエアがインターネット上の特定のコンテンツにアクセスする処理を実行するためのプログラムを含み、
前記第一情報端末上の処理として、
前記第一情報端末の所持者による該端末上での操作により前記アプリケーションソフトウエアが起動又は終了された際に、該アプリケーションソフトウエアが起動又は終了された旨のアプリケーションソフトウエア動作情報を前記見守り管理サーバへ送信するステップを含む請求項6又は請求項7記載の見守り方法。
【請求項９】
前記第二情報端末の所持者が前記第一情報端末の所持者の見守りを行いたい場合に前記第二情報端末より送信される見守り許可要求を受信するステップと、
前記見守り許可要求を受信した旨を前記第一情報端末に通知するステップと、
前記見守り許可要求受信情報の受信に対する応答として前記第一情報端末より見守りを許可する旨の通知が送信された場合に同通知を受信するステップと、をさらに含み、
前記第一情報端末の所持者による見守り許可があった場合に、前記第二情報端末の所持者が前記第一情報端末の所持者の見守りを開始する請求項6〜8のいずれか一項記載の見守り方法。
【請求項１０】
前記異常検知情報の送信先を、前記第二情報端末を含む複数に予め設定することが可能な請求項6〜9のいずれか一項記載の見守り方法。
【発明の詳細な説明】
【技術分野】
【０００１】
本発明は、見守られる側の利用者に所持される第一情報端末、見守る側の利用者に所持される第二情報端末、並びに見守り管理サーバがインターネットを介して接続され、第二情報端末の所持者が、特定のアプリケーションソフトウエア動作情報の受信の有無により第一情報端末の所持者の見守りを行う見守りシステム及び見守り方法などに関連する。
【背景技術】
【０００２】
近年、少子高齢化、産業構造の変化、人口の都市化、社会形態の変化、価値観の多様化などに起因して、単独又は夫婦のみで暮らす高齢者世帯が増加している。そして、高齢者世帯とその家族が離れた場所で暮らしている場合も多く、家族などが遠隔地から高齢者世帯の見守りを行いたいというニーズが高まっている。
【０００３】
高齢者のみの世帯などを遠隔地から見守るシステムとして、例えば、特許文献1には、住居の電力供給ラインと電気機器との間に介在して電気機器の消費電流などを計測する検出手段を備えることで、住居内の電気機器の利用状況を把握し、異常な利用状況が発生したことを判断できる生活状況遠隔監視システムなどが、特許文献2には、一般情報を情報端末に特定間隔で配信し、情報端末の利用者によるその情報の着信時動作を検出・送信することにより利用者の安否を確認する安否確認システムなどが、特許文献3には、情報端末装置の待ち受けモードが第1のモードから第2のモードに変化したことを検出・送信することで安否確認を行う安否確認システムが、特許文献4には、テレビジョン受信機などを操作するリモコンの信号を受信してパルス信号を出力する受信ユニットを具備し、その受信ユニットからのパルス信号を編集してEメールで通報することにより、居住者の生活状態を自動的に検出して、定期的に通知する状態通報システムなどが、特許文献5には、家庭用電気製品毎に設けられ、その電気製品の操作状況を検出する製品操作状況検出手段からの出力信号を受信して生活状況を監視する生活モニターシステムなどが、それぞれ開示されている。
【特許文献１】特開2011-29778号公報
【特許文献２】特開2009-3728号公報
【特許文献３】特開2007-282111号公報
【特許文献４】特開2006-178574号公報
【特許文献５】特開平10-248093号公報
【発明の開示】
【発明が解決しようとする課題】
【０００４】
一般的に、高齢者のみの世帯などを遠隔地から見守る従来のシステムの場合、ある特定の変化を検出する検出手段など、新たな装置の設置や機械部品の組み込みなどが必要であり、新たなシステムを構築する際に、設置などの煩雑な作業や別途の機械部品の組み込みが必要である。
【０００５】
また、一般的に、これらの従来のシステムの場合、見守られる側の高齢者などの生活状況が、見守られる側の意思に関わらず、見守る側に常時通知されるため、自らの意思と関係なく監視されているという否定的心象を抱きやすく、プライバシーなどの観点からも、見守られる側の精神的負担が少なくない。
【０００６】
そこで、本発明は、比較的簡易に構築可能であり、見守られる側の精神的負担の軽減も可能な、高齢者のみの世帯などを遠隔地から見守る手段を提供することなどを目的とする。
【課題を解決するための手段】
【０００７】
本発明では、見守られる側の利用者に所持される第一情報端末、見守る側の利用者に所持される第二情報端末、並びに見守り管理サーバがインターネットを介して接続され、前記見守り管理サーバは、前記第一情報端末上で、予めインストールされた特定のアプリケーションソフトウエアに基づく操作が行われた旨、若しくは該アプリケーションソフトウエアが起動又は終了された旨のアプリケーションソフトウエア動作情報が第一情報端末から送信された場合に該動作情報を受信するアプリケーションソフトウエア動作情報受信部と、前記アプリケーションソフトウエア動作情報の受信の有無を判定するアプリケーションソフトウエア動作情報受信有無判定部と、前記アプリケーションソフトウエア動作情報受信有無判定部において該動作情報を受信したと判定された場合に、前記第一情報端末上で前記アプリケーションソフトウエアが動作した旨の報告情報を前記第二情報端末に送信するアプリケーションソフトウエア動作報告送信部と、前記アプリケーションソフトウエア動作情報受信有無判定部において該動作情報を受信していないと判定された場合に、前記アプリケーションソフトウエア動作情報を受信していない時間が、予め設定された限界時間を超過したか否かを判定するアプリケーションソフトウエア無動作限界時間超過有無判定部と、前記アプリケーションソフトウエア動作情報の受信がなかった時間が予め設定された限界時間内を超過していると判定された場合に前記第二情報端末に異常検知情報を送信する異常検知情報送信部と、を備え、前記第二情報端末の所持者が、前記アプリケーションソフトウエア動作情報の受信の有無により前記第一情報端末の所持者の見守りを行う見守りシステムを提供する。
【０００８】
例えば、前記見守り管理サーバ上での処理として、前記第一情報端末上で、予めインストールされた特定のアプリケーションソフトウエアに基づく操作が行われた旨、若しくは該アプリケーションソフトウエアが起動又は終了された旨のアプリケーションソフトウエア動作情報が前記第一情報端末から送信された場合に該動作情報を受信するステップと、前記アプリケーションソフトウエア動作情報の受信の有無を判定するステップと、前記アプリケーションソフトウエア動作情報受信有無判定部において該動作情報を受信したと判定された場合に、前記第一情報端末上の前記アプリケーションソフトウエアが動作した旨の報告情報を前記第二情報端末に送信するステップと、前記アプリケーションソフトウエア動作情報受信有無判定部において該動作情報を受信していないと判定された場合に、前記アプリケーションソフトウエア動作情報を受信していない時間が、予め設定された限界時間を超過したか否かを判定するステップと、前記アプリケーションソフトウエア動作情報の受信がなかった時間が予め設定された限界時間内を超過していると判定された場合に前記第二情報端末に異常検知情報を送信するステップと、を含み、前記第二情報端末の所持者が、前記アプリケーションソフトウエア動作情報の受信の有無により前記第一情報端末の所持者の見守りを行う。
【０００９】
このシステムでは、見守られる側である第一情報端末の所持者が、自らの意思で特定のアプリケーションソフトウエアに基づく操作を行った場合や、自らの意思で該端末の操作を行い、特定のアプリケーションソフトウエアが起動又は終了された場合にのみ、そのアプリケーションソフトウエア動作情報が見守る側へ通知されるため、自らの意思と関係なく監視されているという否定的心象を抱きにくく、見守られる側の精神的負担を軽減できる。
【００１０】
このシステムでは、例えば、前記第一情報端末以外の情報端末がインターネットを介して接続されるとともに、前記アプリケーションソフトウエアが前記第一情報端末以外の情報端末にもインストールされ、該アプリケーションソフトウエアが、(1)前記第一情報端末以外の情報端末での処理を実行するためのプログラムであって、該アプリケーションソフトウエアに基づく操作を行うことにより前記第一情報端末へ伝送データを送信する処理を実行するためのプログラム、及び、(2)前記第一情報端末での処理を実行するためのプログラムであって、前記第一情報端末以外の情報端末より送信された伝送データを前記第一情報端末が受信した際に、該第一情報端末にダイアログ画面を表示する処理を実行するためのプログラム、を含み、前記第一情報端末の所持者が前記ダイアログ画面で指定された操作を行った際に、前記第一情報端末上で該アプリケーションソフトウエアに基づく操作が行われた旨のアプリケーションソフトウエア動作情報が第一情報端末から前記見守り管理サーバへ送信される構成にしてもよい。
【００１１】
この場合、例えば、家族・知人などの所持する情報端末（第一情報端末以外の一又は複数の情報端末）にも予めこのアプリケーションソフトウエアをインストールしておき、そのアプリケーションソフトウエアに基づく操作により、第一情報端末以外の情報端末から、写真・メッセージ・ファイルなどの伝送データを第一情報端末に送信する。そして、第一情報端末がその伝送データを受信すると、ダイアログ画面が表示され、第一情報端末の所持者が前記ダイアログ画面で指定された操作を行うことで、そのアプリケーションソフトウエアに基づいて、伝送データを画面上に表示などするとともに、第一情報端末上で該アプリケーションソフトウエアに基づく操作が行われた旨のアプリケーションソフトウエア動作情報が第一情報端末から見守り管理サーバへ送信される。
【００１２】
これにより、見守りサーバへのアプリケーションソフトウエア動作情報の送信の回数・頻度を増加させることができるため、見守りの精度をより向上させることができる。また、第一情報端末の所持者にとっても、ダイアログ画面で指定された操作を行うだけでよいため、自らの意思と関係なく監視されているという否定的心象を抱きにくく、見守られる側の精神的負担を軽減できる。そして、それらを実行するためのプログラムをアプリケーションソフトウエアに組み込んでおけば、本発明に係る見守りシステム構築時における新たな装置の設置や機械部品の組み込みなどは不要であり、アプリケーションソフトウエアをダウンロードする手順などのみで簡易に本システムを構築することが可能である。その際、例えば、第一情報端末及び第一情報端末以外の情報端末に予めこのアプリケーションソフトウエアをダウンロードしておくことにより、相互に見守ることも可能となる。
【００１３】
また、例えば、前記アプリケーションソフトウエアが、インターネット上の特定のコンテンツにアクセスする処理を実行するためのプログラムを含み、前記第一情報端末の所持者による該端末上での操作により前記アプリケーションソフトウエアが起動又は終了された際に、該アプリケーションソフトウエアが起動又は終了された旨のアプリケーションソフトウエア動作情報が第一情報端末から前記見守り管理サーバへ送信される構成とした場合も、本発明に係る見守りシステム構築時における新たな装置の設置や機械部品の組み込みなどが不要であり、アプリケーションソフトウエアをダウンロードする手順などのみで簡易に本システムを構築することが可能である。
【００１４】
この見守りシステムでは、前記第二情報端末の所持者が前記第一情報端末の所持者の見守りを行いたい場合に前記第二情報端末より送信される見守り許可要求を受信する見守り許可要求受信部と、前記見守り許可要求を受信した旨を前記第一情報端末に通知する見守り許可要求受信情報送信部と、前記見守り許可要求受信情報の受信に対する応答として前記第一情報端末より見守りを許可する旨の通知が送信された場合に同通知を受信する見守り許可通知受信部と、をさらに備える構成にしてもよい。
【００１５】
例えば、見守り管理サーバ上での処理として、第二情報端末の所持者が第一情報端末の所持者の見守りを行いたい場合に第二情報端末より送信される見守り許可要求を受信するステップと、見守り許可要求を受信した旨を第一情報端末に通知するステップと、見守り許可要求受信情報の受信に対する応答として第一情報端末より見守りを許可する旨の通知が送信された場合に同通知を受信するステップと、をさらに含む処理を実行することで、第一情報端末の所持者による見守り許可があった場合に、第二情報端末の所持者が第一情報端末の所持者の見守りを開始する。
【００１６】
これにより、見守られる側の許可がないと、見守る側は見守りを開始できないため、自らの意思と関係なく監視されているという否定的心象をさらに軽減でき、見守られる側の精神的負担をより軽減できる。
【００１７】
また、これらの構成に関しても、見守り許可要求受信情報の受信に対する応答として、見守りを許可する旨の通知を第一情報端末から見守り管理サーバに送信するプログラムを、上記と同様、そのアプリケーションソフトウエア内に組み込んでおくことにより、本発明に係る見守りシステム構築時における新たな装置の設置や機械部品の組み込みなどが不要となるため、アプリケーションソフトウエアをダウンロードする手順のみで簡易に本システムを構築することが可能である。
【００１８】
その他、異常検知情報の送信先を、第二情報端末を含む複数に予め設定することが可能な構成にしてもよい。これにより、異常検知情報に対する安否確認を複数で行うことが可能になるため、より迅速に安否確認を行うことができる。
【発明の効果】
【００１９】
本発明により、見守りシステムの構築を比較的簡易に行うことができ、見守られる側の精神的負担も軽減できる。
【発明を実施するための最良の形態】
【００２０】
＜本発明に係る見守りシステムについて＞
本発明は、見守られる側の利用者に所持される第一情報端末、見守る側の利用者に所持される第二情報端末、並びに見守り管理サーバがインターネットを介して接続され、前記見守り管理サーバは、前記第一情報端末上で、予めインストールされた特定のアプリケーションソフトウエアに基づく操作が行われた旨、若しくは該アプリケーションソフトウエアが起動又は終了された旨のアプリケーションソフトウエア動作情報が第一情報端末から送信された場合に該動作情報を受信するアプリケーションソフトウエア動作情報受信部と、前記アプリケーションソフトウエア動作情報の受信の有無を判定するアプリケーションソフトウエア動作情報受信有無判定部と、前記アプリケーションソフトウエア動作情報受信有無判定部において該動作情報を受信したと判定された場合に、前記第一情報端末上で前記アプリケーションソフトウエアが動作した旨の報告情報を前記第二情報端末に送信するアプリケーションソフトウエア動作報告送信部と、前記アプリケーションソフトウエア動作情報受信有無判定部において該動作情報を受信していないと判定された場合に、前記アプリケーションソフトウエア動作情報を受信していない時間が、予め設定された限界時間を超過したか否かを判定するアプリケーションソフトウエア無動作限界時間超過有無判定部と、前記アプリケーションソフトウエア動作情報の受信がなかった時間が予め設定された限界時間内を超過していると判定された場合に前記第二情報端末に異常検知情報を送信する異常検知情報送信部と、を備え、前記第二情報端末の所持者が、前記アプリケーションソフトウエア動作情報の受信の有無により前記第一情報端末の所持者の見守りを行う見守りシステムを広く包含する。また、本発明は、上記に加えて、前記第二情報端末の所持者が前記第一情報端末の所持者の見守りを行いたい場合に前記第二情報端末より送信される見守り許可要求を受信する見守り許可要求受信部と、前記見守り許可要求を受信した旨を前記第一情報端末に通知する見守り許可要求受信情報送信部と、前記見守り許可要求受信情報の受信に対する応答として前記第一情報端末より見守りを許可する旨の通知が送信された場合に同通知を受信する見守り許可通知受信部と、をさらに備え、前記第一情報端末の所持者による見守り許可があった場合に、前記第二情報端末の所持者が前記第一情報端末の所持者の見守りを開始する見守りシステムを広く包含する。以下、図1〜図4を用いて、その例を説明する。なお、本発明は、この実施形態のみに狭く限定されない。
【００２１】
図1は、本発明に係る見守りシステムの例を示す構成図、図2は本発明に係る第一情報端末の例を示す構成図、図3は本発明に係る第二情報端末の例を示す構成図、図4は本発明に係る第三情報端末の例を示す構成図である。
【００２２】
図1では、見守り管理サーバ1、及び、特定のコンテンツを提供するウエブサーバ2が、インターネットWに接続可能な構成を備えるとともに、見守られる側の利用者に所持される第一情報端末3、見守る側の利用者に所持される第二情報端末4、見守り補助者に所持される第三情報端末5、5がインターネットを介して接続可能な状態となっている。
【００２３】
見守り管理サーバ1は、初期登録に係る構成として、第一情報端末3及び/又は第二情報端末4より初期登録情報・設定情報を受信する初期登録情報・設定情報受信部101と、前記初期登録情報・設定情報を記憶する初期登録情報・設定情報記憶部102を、見守り許可に係る構成として、第二情報端末4の所持者が第一情報端末3の所持者の見守りを行いたい場合に第二情報端末4より送信される見守り許可要求を受信する見守り許可要求受信部111と、予め登録された見守りを行うことが可能なメンバーのリストと前記見守り許可要求を行った第二情報端末4の所持者との照合を行う見守り実行者照合部112と、前記見守り許可要求を受信した旨を第一情報端末3に通知する見守り許可要求受信情報送信部113と、前記見守り許可要求受信情報の送信からの経過時間を計測するタイマー計測部114と、前記見守り許可要求受信情報の受信に対する応答として第一情報端末3より見守りを許可する旨の通知が送信された場合に同通知を受信する見守り許可通知受信部116と、前記見守り許可通知受信部116が見守りを許可する旨の第一情報端末3からの通知を受信したか否かを判定する見守り許可有無判定部117と、前記見守り許可有無判定において見守り許可する旨の通知を受信していなかった場合に前記見守り許可要求受信情報の送信からの経過時間が、応答時間として設定された所定の時間を超過しているか否か判定する応答時間超過有無判定部118と、前記見守り許可要求受信情報の受信に対する応答として第一情報端末3より送信された、見守りを拒否する旨の通知を受信する見守り拒否通知受信部119と、前記見守り拒否通知を受信した場合、前記照合ができなかった場合、若しくは前記応答時間を超過した場合にその見守り拒否情報を第二情報端末4に送信する見守り拒否情報送信部120を、見守り時の構成として、第一情報端末3及び第二情報端末4に見守りを開始したことを通知する見守り開始通知送信部121と、見守りの実行時間の計測を開始する見守り実行時間計測開始部122と、第一情報端末3上で、予めインストールされた特定のアプリケーションソフトウエアに基づく操作が行われた旨、若しくは該アプリケーションソフトウエアが起動又は終了された旨のアプリケーションソフトウエア動作情報が第一情報端末3から送信された場合に該動作情報を受信するアプリケーションソフトウエア動作情報受信部123と、前記アプリケーションソフトウエア動作情報の受信の有無を判定するアプリケーションソフトウエア動作情報受信有無判定部124と、前記アプリケーションソフトウエア動作情報受信有無判定部124において該アプリケーションソフトウエア動作情報を受信したと判定された場合に、前記第一情報端末3上で前記アプリケーションソフトウエアが動作した旨の報告情報を第二情報端末4に送信するアプリケーションソフトウエア動作報告送信部125と、前記アプリケーションソフトウエア動作情報受信有無判定部124において該動作情報を受信していないと判定された場合に、前記アプリケーションソフトウエア動作情報を受信していない時間が、予め設定された限界時間を超過したか否かを判定するアプリケーションソフトウエア無起動限界時間超過有無判定部126と、前記アプリケーションソフトウエア動作情報の受信がなかった時間が予め設定された限界��間内を超過していると判定された場合に第二情報端末4に異常検知情報を送信する異常検知情報送信部127を、異常検知後の安否確認時における構成として、第二情報端末4、第三情報端末5、6のいずれかから送信された、見守られる側の利用者の安否確認情報を受信する安否確認情報受信部131と、前記安否確認情報に基づき、第一情報端末3、第二情報端末4、並びに異常検知情報の送信先として予め登録された全ての第三情報端末5に、見守られる側の利用者の安全が確認された旨を通知する安全情報通知送信部132を、その他の構成として、CPU141、メモリ142、インターネット接続部143などを備えている。
【００２４】
その他、アプリケーションソフトウエア動作情報受信部123が第一情報端末3から送信された動作情報を受信した際に、そのデータを格納・記憶しておくデータ記憶手段（図示せず）を備えた構成にしてもよい。
【００２５】
ウエブサーバ2は、インターネットW上で特定のコンテンツなどを提供する部位で、図1では、インターネット接続部21及びウエブサーバコンピュータ22を備える。なお、同じコンピュータ機器内に、見守り管理サーバ1とウエブサーバ2を併存させてもよい。
【００２６】
ウエブサーバコンピュータ22には、例えば、上記のアプリケーションソフトウエアを格納しておき、各情報端末3、4、5、5の利用者が、インターネットWを介して、そのアプリケーションソフトウエアをウエブサーバコンピュータ22から直接インストールできるようにしてもよい。
【００２７】
例えば、前記第一情報端末3以外の情報端末（例えば、符号4、5、5）がインターネットを介して接続されるとともに、前記アプリケーションソフトウエアが前記第一情報端末以外の情報端末（例えば、符号4、5、5）にもインストールされ、該アプリケーションソフトウエアが、(1)前記第一情報端末3以外の情報端末（例えば、符号4、5、5）での処理を実行するためのプログラムであって、該アプリケーションソフトウエアに基づく操作を行うことにより前記第一情報端末3へ伝送データを送信する処理を実行するためのプログラム、及び、(2)前記第一情報3端末での処理を実行するためのプログラムであって、前記第一情報端末3以外の情報端末（例えば、符号4、5、5）より送信された伝送データを前記第一情報端末3が受信した際に、該第一情報端末3にダイアログ画面を表示する処理を実行するためのプログラム、を含み、前記第一情報端末3の所持者が前記ダイアログ画面で指定された操作を行った際に、前記第一情報端末3上で該アプリケーションソフトウエアに基づく操作が行われた旨のアプリケーションソフトウエア動作情報が第一情報端末3から前記見守り管理サーバ1へ送信される構成にすることにより、見守りサーバ1へのアプリケーションソフトウエア動作情報の送信の回数・頻度を増加させることができるため、見守りの精度をより向上させることができる。なお、上記の伝送データは、写真・メッセージ・ファイルなど、特定のアプリケーションソフトウエアに基づく操作によって情報端末間で送受信可能なデータを全て包含する。
【００２８】
また、例えば、前記アプリケーションソフトウエアが、インターネットW上の特定のコンテンツにアクセスする処理を実行するためのプログラムを含み、前記第一情報端末3の所持者による該端末3上での操作により前記アプリケーションソフトウエアが起動又は終了された際に、該アプリケーションソフトウエアが起動又は終了された旨のアプリケーションソフトウエア動作情報が第一情報端末3から前記見守り管理サーバ1へ送信される構成にし、第一情報端末3の所持者の操作によりそのアプリケーションソフトウエアが起動又は終了されると、その動作情報を第二情報端末4に送信することで第一情報端末3の所持者の見守りを行うとともに、第一情報端末3の所持者がそのコンテンツにワンタッチでアクセスできるようにしてもよい。この場合、例えば、ウエブサーバ2において、ニュース、天気予報、ゲームなど、見守られる側の利用者が頻繁に利用したいと思うコンテンツを提供することにより、第一情報端末3の所持者がそのアプリケーションソフトウエアを起動する回数を増加させ、起動情報の第二情報端末4への送信頻度を増加させることができるため、第一情報端末3の所持者の見守りの精度を向上させることができる。
【００２９】
なお、本発明において、「特定のアプリケーションソフトウエアに基づく操作が行われた」場合には、第一情報端末3上で該アプリケーションがアクティブな状態になっている状況で、そのアプリケーションソフトウエアに基づく操作が行われた場合を広く包含される（以下同じ）。本発明において、「アプリケーションソフトウエアが起動された」場合には、第一情報端末3上での操作により該アプリケーションを起動させた場合のほか、例えば、第一情報端末3のOSがマルチタスク化されている時には、該アプリケーションの起動が継続している状況で、バックグラウンド状態又はサスペンド状態からフォアグラウンド状態又はアクティブ状態に移行させた場合も広く包含される（以下同じ）。本発明において、「アプリケーションソフトウエアが終了された」場合には、第一情報端末3上での操作により該アプリケーションを終了させた場合のほか、例えば、第一情報端末3のOSがマルチタスク化されている時は、該アプリケーションの起動が継続している状況で、フォアグラウンド状態又はアクティブ状態からバックグラウンド状態又はサスペンド状態に移行した場合も広く包含される（以下同じ）。
【００３０】
各情報端末3、4、5は、例えば、携帯端末、タブレット型端末、パソコン、ノートパソコンなど、インターネットWに接続できるものであって、ウエブサーバ2よりダウンロードされた上記のアプリケーションソフトウエアが予めインストールされたものであればよい。本発明では、見守られる側の利用者に所持された情報端末を第一情報端末3、見守る側の利用者に所持される情報端末を第二情報端末4、異常検知時及び異常検知後の安全確認において見守りを補助する者に所持される情報端末を第三情報端末5とする。上記のアプリケーションソフトウエアに基づく操作を行うことにより第一情報端末3へ伝送データを送信する情報端末（第一情報端末3以外の情報端末）は、第二情報端末4、第三情報端末5、その他の情報端末のいずれでもよく、また、上記のアプリケーションソフトウエアが予めインストールされていれば、複数の情報端末が第一情報端末3への伝送データの送信に利用されていてもよい。見守られる側、見守る側、及び、見守りを補助する側は、情報端末の中から任意に設定することが可能である。また、相互に見守りを行うことも可能であり、従って、見守られる側の所持者は高齢者の場合のみに狭く限定されない。見守りを補助する側（第三情報端末5の所持者）の設定は必須ではないが、例えば、異常検知情報の送信先を、前記第二情報端末4を含む複数に予め設定することが可能な構成にし、異常検知時に、第二情報端末4以外に一又は複数の第三情報端末5などにも異常検知情報の送信する設定にすることにより、安否確認をより迅速かつ確実に行うことができる。
【００３１】
図2では、見守られる側の利用者に所持される第一情報端末3が、インターネットWに接続可能な構成を備える。
【００３２】
第一情報端末3は、初期構成として、アプリケーションソフトウエアを格納したアプリケーションソフトウエア格納部300を、初期登録に係る構成として、見守り管理サーバ1に初期登録情報・設定情報を送信する初期登録情報・設定情報送信部301を、見守り許可に係る構成として、見守り管理サーバ1より送信された見守り許可要求受信情報を受信する見守り許可要求受信情報受信部313と、第一情報端末3内に記憶された電話帳リストと前記見守り許可要求を送信した第二情報端末4とを照合して見守りを許可するか否かを事前判定する見守り許可事前判定部314と、第一情報端末3の所持者によって入力された意思情報に基づいて見守りを許可するか否かを判定する見守り許可意思有無判定部315と、前記見守り許可意思有無判定において見守りを許可すると判定した場合に、前記見守り許可要求受信情報に対する応答として、見守りを許可する旨の通知を見守り管理サーバ1に送信する見守り許可通知送信部316と、前記見守り許可事前判定において見守りを許可しないと判定した場合、若しくは前記見守り許可意思有無判定において見守りを許可しないと判定した場合に、見守りを拒否する旨の通知を見守り管理サーバ1に送信する見守り拒否通知送信部319を、見守り時の構成として、見守り管理サーバ1より送信された、見守りを開始したことの通知を受信する見守り開始通知受信部321と、上記のアプリケーションソフトウエアに基づく操作により第一情報端末3以外の情報端末（例えば、符号4、5、5）より送信された伝送データを受信する伝送データ受信部3221と、該伝送データを受信した際に、上記のアプリケーションソフトウエアに基づいて第一情報端末3にダイアログ画面を表示するダイアログ画面表示部3222と、該ダイアログ画面において指示された上記アプリケーションソフトウエアに基づく操作を第一情報端末3の所持者が行ったかどうかを判定するダイアログ画面操作有無判定部3223と、第一情報端末3の所持者によって上記アプリケーションソフトウエアに基づく操作が行われた場合、若しくは該アプリケーションソフトウエアが起動又は終了された場合に、該アプリケーションソフトウエアが動作した旨のアプリケーションソフトウエア動作情報を見守り管理サーバ1に送信するアプリケーションソフトウエア動作情報送信部323を、異常検知後の安否確認時における構成として、見守り管理サーバ1より送信された、安全情報を受信する安全情報通知受信部332を、その他の構成として、CPU341、メモリ342、インターネット接続部343、入力部344、表示部345などを備えている。
【００３３】
その他、アプリケーションソフトウエア動作情報送信部323よりアプリケーションソフトウエア動作情報を見守り管理サーバ1に送信する際、GPS機能等に基づいて、前記送信時における第一情報端末3の位置情報を同時に送信する構成にしてもよい。この場合、見守り管理サーバ1におけるデータ記憶手段に、第一情報端末3からアプリケーションソフトウエア動作情報を送信した時刻又は見守り管理サーバ1がアプリケーションソフトウエア動作情報を受信した時刻に加え、その際の第一情報端末3（の所持者）の位置情報を格納し、記憶することができる。
【００３４】
図3では、見守る側の利用者に所持される第二情報端末4が、インターネットWに接続可能な構成を備える。
【００３５】
第二情報端末4は、初期構成として、アプリケーションソフトウエアを格納したアプリケーションソフトウエア格納部400を、初期登録に係る構成として、見守り管理サーバ1に初期登録情報・設定情報を送信する初期登録情報・設定情報送信部401を、見守り許可に係る構成として、第一情報端末3の所持者の見守りを行いたい場合に、見守り管理サーバ1に見守り許可要求を送信する見守り許可要求送信部411と、見守りが拒否された場合にその見守り拒否情報を見守り管理サーバ1から受信する見守り拒否情報受信部420を、見守り時の構成として、見守り管理サーバ1より送信された、見守りを開始した旨の通知を受信する見守り開始通知受信部421と、上記のアプリケーションソフトウエアに基づく操作を行うことにより第一情報端末3へ伝送データを送信する伝送データ送信部422と、見守り管理サーバ1より送信された、第一情報端末3上で該アプリケーションソフトウエアが動作した旨の報告情報を受信するアプリケーションソフトウエア動作報告受信部425と、見守り管理サーバ1より送信される異常検知情報を受信する異常検知情報受信部427を、異常検知後の安否確認時における構成として、見守られる側の利用者の安否確認情報を見守り管理サーバ1に送信する安否確認情報送信部431と、見守り管理サーバ1より送信された、見守られる側の利用者の安全が確認された旨の通知を受信する安全情報通知受信部432を、その他の構成として、CPU441、メモリ442、インターネット接続部443、入力部444、表示部445などを備えている。
【００３６】
その他、見守り許可時において、第二情報端末4から、見守り管理サーバ1におけるデータ記憶手段に接続でき、かつデータ記憶手段に格納された動作情報を受信できる構成を備えていてもよい。この構成にすることにより、第二情報端末4の所持者は、第一情報端末3上で該アプリケーションソフトウエアが動作した旨の報告情報を受信した時以外でも、随時、アプリケーションソフトウエア動作情報の受信時刻情報（若しくは第一情報端末3の送信時刻情報としてデータ記憶手段に格納されている情報）、及び、その際の第一情報端末3の所持者の位置情報を取得・確認することができる。また、この構成にした場合、第一情報端末3の所持者が特定のアプリケーションソフトウエアに基づく操作を行った、若しくは該アプリケーションソフトウエアを起動又は終了した時刻及びその際の位置の履歴を確認できるため、家族の安否確認など以外の見守り、例えば、企業における従業員の勤怠管理などにも適用することが可能である。
【００３７】
図4では、見守り補助者に所持される第三情報端末5が、インターネットWに接続可能な構成を備える。
【００３８】
第三情報端末5は、初期構成として、アプリケーションソフトウエアを格納したアプリケーションソフトウエア格納部500を、見守り時の構成として、上記のアプリケーションソフトウエアに基づく操作を行うことにより第一情報端末3へ伝送データを送信する伝送データ送信部522と、見守り管理サーバ1より送信される異常検知情報を受信する異常検知情報受信部527を、異常検知後の安否確認時における構成として、見守られる側の利用者の安否確認情報を見守り管理サーバ1に送信する安否確認情報送信部531と、見守り管理サーバ1より送信された、見守られる側の利用者の安全が確認された旨の通知を受信する安全情報通知受信部532を、その他の構成として、CPU541、メモリ542、インターネット接続部543、入力部544、表示部545を備えている。
【００３９】
＜本発明に係る見守り方法について＞
本発明は、それぞれインターネットを介して接続された、見守られる側の利用者に所持される第一情報端末、見守る側の利用者に所持される第二情報端末、並びに見守り管理サーバによって実行される見守り方法であって、前記見守り管理サーバ上での処理として、前記第一情報端末上で、予めインストールされた特定のアプリケーションソフトウエアに基づく操作が行われた旨、若しくは該アプリケーションソフトウエアが起動又は終了された旨のアプリケーションソフトウエア動作情報が前記第一情報端末から送信された場合に該動作情報を受信するステップと、前記アプリケーションソフトウエア動作情報の受信の有無を判定するステップと、前記アプリケーションソフトウエア動作情報受信有無判定部において該動作情報を受信したと判定された場合に、前記第一情報端末上の前記アプリケーションソフトウエアが動作した旨の報告情報を前記第二情報端末に送信するステップと、前記アプリケーションソフトウエア動作情報受信有無判定部において該動作情報を受信していないと判定された場合に、前記アプリケーションソフトウエア動作情報を受信していない時間が、予め設定された限界時間を超過したか否かを判定するステップと、前記アプリケーションソフトウエア動作情報の受信がなかった時間が予め設定された限界時間内を超過していると判定された場合に前記第二情報端末に異常検知情報を送信するステップと、を含み、前記第二情報端末の所持者が、前記アプリケーションソフトウエア動作情報の受信の有無により前記第一情報端末の所持者の見守りを行う見守り方法を広く包含する。また、本発明は、上述の見守りシステム上で実行される場合を含め、上記に加えて、前記第二情報端末の所持者が前記第一情報端末の所持者の見守りを行いたい場合に前記第二情報端末より送信される見守り許可要求を受信するステップと、前記見守り許可要求を受信した旨を前記第一情報端末に通知するステップと、前記見守り許可要求受信情報の受信に対する応答として前記第一情報端末より見守りを許可する旨の通知が送信された場合に同通知を受信するステップと、をさらに含み、前記第一情報端末の所持者による見守り許可があった場合に、前記第二情報端末の所持者が前記第一情報端末の所持者の見守りを開始する見守り方法を広く包含する。以下、図5〜8を用いて、その例を説明する。なお、本発明は、この実施形態のみに狭く限定されない。
【００４０】
図5は、本発明における初期登録のステップの例を示すフロー図である。
【００４１】
図5のフローチャートは、見守り管理サーバ1上での処理として、第一情報端末3及び/又は第二情報端末4より初期登録情報・設定情報を受信するステップ（初期登録情報・設定情報受信ステップS101）と、前記初期登録情報・設定情報を記憶するステップ（初期登録情報・設定情報記憶ステップS102）を、第一情報端末3上での処理として、アプリケーションソフトウエアを格納するステップ（アプリケーションソフトウエア格納ステップS300）と、該アプリケーションソフトウエアを起動し、見守り管理サーバ1に初期登録情報・設定情報を送信するステップ（初期登録情報・設定情報送信部S301）を、第二情報端末4上での処理として、アプリケーションソフトウエアを格納するステップ（アプリケーションソフトウエア格納ステップS400）と、該アプリケーションソフトウエアを起動し、見守り管理サーバ1に初期登録情報・設定情報を送信するステップ（初期登録情報・設定情報送信部S401）を備える。
【００４２】
初めに、見守られる側の利用者に所持される第一情報端末3、見守る側の利用者に所持される第二情報端末4、並びに必要な場合に見守りを補助する一又は複数の者にそれぞれ所持される情報端末（第三情報端末5、6など）に、予め、アプリケーションソフトウエアをインストールしておく。
【００４３】
例えば、インターネットWを介して、ウエブサーバコンピュータ22内に格納されたアプリケーションソフトウエアを直接インストールし、それぞれ、各携帯端末3、4、5のアプリケーションソフトウエア格納部300、400、500に格納しておく。そして、各情報端末3、4、5において、アプリケーションソフトウエアを起動できる状態にしておく。
【００４４】
アプリケーションソフトウエアは、例えば、インターネットW上の特定のコンテンツにアクセスする処理を実行するためのプログラムを少なくとも含むものとし、その他、例えば、本発明に係る見守り方法を実行するために必要なプログラム・データなどを含むものとする。
【００４５】
次に、初期登録を行う。例えば、第一情報端末3及び第二情報端末4において、それぞれ、必要な初期登録情報・設定情報を入力した後、第一情報端末3又は第二情報端末4の初期登録情報・設定情報送信部301、401がその初期登録情報・設定情報を送信し（S301、S401）、見守り管理サーバ1の初期登録情報・設定情報受信部101がその情報を受信し（S101）、見守り管理サーバ1の初期登録情報・設定情報記憶部102がその情報を記憶する（S102）。
【００４６】
初期登録情報として、例えば、各情報端末所持者の氏名、住所、電話番号などを登録する。また、初期登録を行うと、ログインID、ログインパスワードなどが各情報端末所持者に送信され、各所持者がそのID、パスワードを用いて、本発明に係る見守りシステムにログインする方法を採用してもよい。
【００４７】
第一情報端末3の側からの設定情報として、例えば、見守りをしてもらう可能性のある者（が所持する第二情報端末4）の指定、見守り補助をしてもらう可能性のある者（が所持される第三情報端末5）の指定などが挙げられる。また、第二情報端末4の側からの設定情報として、例えば、見守り許可要求受信情報の送信からの応答時間の設定、見守り時においてアプリケーションソフトウエア起動情報の受信がなかった場合における異常検知情報を送信しない限度時間の指定、見守り補助をしてもらう可能性のある者（が所持される第三情報端末5）の指定、アプリケーションソフトウエア起動報告や安全情報通知を受信した場合における画面の表示方法などの選択、異常検知情報を受信した場合における画面の表示方法などの選択などが挙げられる。
【００４８】
図6は、本発明における見守り許可のステップの例を示すフロー図である。
【００４９】
図6のフローチャートは、見守り管理サーバ1上での処理として、第二情報端末4の所持者が第一情報端末3の所持者の見守りを行いたい場合に第二情報端末4より送信される見守り許可要求を受信するステップ（見守り許可要求受信ステップS111）と、予め登録された見守りを行うことが可能なメンバーのリストと前記見守り許可要求を行った第二情報端末4の所持者との照合を行うステップ（見守り実行者照合ステップS112）と、前記見守り許可要求を受信した旨を第一情報端末3に通知するステップ（見守り許可要求受信情報送信ステップS113）と、前記見守り許可要求受信情報の送信からの経過時間を計測するステップ（タイマー計測ステップS114）と、前記見守り許可要求受信情報の受信に対する応答として第一情報端末3より見守りを許可する旨の通知が送信された場合に同通知を受信するステップ（見守り許可通知受信ステップS116）と、見守りを許可する旨の第一情報端末3からの通知を受信したか否かを判定するステップ（見守り許可有無判定ステップS117）と、前記見守り許可有無判定において見守り許可する旨の通知を受信していなかった場合に前記見守り許可要求受信情報の送信からの経過時間が、応答時間として設定された所定の時間を超過しているか否か判定するステップ（応答時間超過有無判定ステップS118）と、前記見守り許可要求受信情報の受信に対する応答として第一情報端末3より送信された、見守りを拒否する旨の通知を受信するステップ（見守り拒否通知受信ステップS119）と、前記見守り拒否通知を受信した場合、前記照合ができなかった場合、若しくは前記応答時間を超過した場合にその見守り拒否情報を第二情報端末4に送信するステップ（見守り拒否情報送信ステップS120）を、第一情報端末3上での処理として、見守り管理サーバ1より送信された見守り許可要求受信情報を受信するステップ（見守り許可要求受信情報受信ステップS313）と、第一情報端末3内に記憶された電話帳リストと前記見守り許可要求を送信した第二情報端末4とを照合して見守りを許可するか否かを事前判定するステップ（見守り許可事前判定ステップS314）と、第一情報端末3の所持者によって入力された意思情報に基づいて見守りを許可するか否かを判定するステップ（見守り許可意思有無判定ステップS315）と、前記見守り許可意思有無判定において見守りを許可すると判定した場合に、前記見守り許可要求受信情報に対する応答として、見守りを許可する旨の通知を見守り管理サーバ1に送信するステップ（見守り許可通知送信ステップS316）と、前記見守り許可事前判定において見守りを許可しないと判定した場合、若しくは前記見守り許可意思有無判定において見守りを許可しないと判定した場合に、見守りを拒否する旨の通知を見守り管理サーバ1に送信するステップ（見守り拒否通知送信ステップS319）を、第二情報端末4上での処理として、第一情報端末3の所持者の見守りを行いたい場合に、見守り管理サーバ1に見守り許可要求を送信するステップ（見守り許可要求送信ステップ411）と、見守りが拒否された場合にその見守り拒否情報を見守り管理サーバ1から受信するステップ（見守り拒否情報受信ステップS420）を備える。
【００５０】
見守る側（第二情報端末4の所持者）が第一情報端末3の所持者の見守りを開始したい場合、まず、第二情報端末4の見守り許可要求送信部411が見守り管理サーバ1に見守り許可要求を送信する（S411）。
【００５１】
ここで、見守り管理サーバ1が、見守り許可要求を受信した旨を第一情報端末3に通知する前に、見守り実行者照合部112において、予め登録された見守りを行うことが可能なメンバーのリストと前記見守り許可要求を行った第二情報端末4の所持者との照合を行うようにしてもよい（S112）。なお、照合の結果、照合できなかった場合（見守り許可要求を行った第二情報端末4の所持者が、予め登録された見守りを行うことが可能なメンバーのいずれにも該当しなかった場合）には、見守り管理サーバ1の見守り拒否情報送信部120が見守り拒否情報を第二情報端末4に送信し（S120）、第二情報端末4の見守り拒否情報受信部420がその情報を受信する（S420）。
【００５２】
次に、見守り管理サーバ1の見守り許可要求受信情報送信部113が、見守り許可要求を受信した旨を第一情報端末3に通知し（S113）、第一情報端末3の見守り許可要求受信情報受信部313がその通知を受信する（S313）。
【００５３】
ここで、第一情報端末3は、見守り許可事前判定部314において、第一情報端末3内に記憶された電話帳リストと見守り許可要求を送信した第二情報端末4とを照合して見守りを許可するか否かを事前判定するようにしてもよい（S314）。なお、事前判定の結果、見守り許可事前判定において見守りを許可しないと判定した場合は、見守り拒否通知送信部319が、見守りを拒否する旨の通知を見守り管理サーバ1に送信し（S319）、見守り管理サーバ1の見守り拒否通知受信部119がその通知を受信し（S119）、さらに、見守り拒否情報送信部120が見守り拒否情報を第二情報端末4に送信し（S120）、第二情報端末4の見守り拒否情報受信部420がその情報を受信する（S420）。
【００５４】
見守り管理サーバ1の見守り許可要求受信情報送信部113が、見守り許可要求を受信した旨を第一情報端末3に通知した際（S113）、見守り管理サーバ1のタイマー計測部114が見守り許可要求受信情報の送信からの経過時間を計測する（S114）。
【００５５】
次に、第一情報端末3の見守り許可意思有無判定部315が、第一情報端末3の所持者によって入力された意思情報に基づいて見守りを許可するか否かを判定し（S315）、見守り許可意思有無判定において見守りを許可すると判定した場合には、第一情報端末3の見守り許可通知送信部316が、見守り許可要求受信情報に対する応答として、見守りを許可する旨の通知を見守り管理サーバ1に送信し（S316）、見守り管理サーバ1の見守り許可通知受信部116がその通知を受信する（S116）。
【００５６】
一方、見守り許可意思有無判定において見守りを許可しないと判定した場合には、上記と同様、見守り拒否通知送信部319が、見守りを拒否する旨の通知を見守り管理サーバ1に送信し（S319）、見守り管理サーバ1の見守り拒否通知受信部119がその通知を受信し（S119）、さらに、見守り拒否情報送信部120が見守り拒否情報を第二情報端末4に送信し（S120）、第二情報端末4の見守り拒否情報受信部420がその情報を受信する（S420）。
【００５７】
見守り管理サーバ1の見守り許可有無判定部117は、見守り許可通知受信部116が見守りを許可する旨の第一情報端末3からの通知を受信したか否かを判定する（S117）。その判定の結果、見守り管理サーバ1の見守り許可通知受信部116が見守りを許可する旨の第一情報端末3からの通知を受信したと判定された場合は、見守りが開始される。
【００５８】
一方、見守り許可有無判定の結果、見守り許可通知受信部116が見守り許可する旨の通知を受信していなかった場合には、見守り管理サーバ1の応答時間超過有無判定部118が、上記タイマー計測部114による経過時間の計測値を用いて、見守り許可要求受信情報の送信からの経過時間が、応答時間として設定された所定の時間を超過しているか否か判定する（S118）。そして、見守り許可要求受信情報の送信からの経過時間が、応答時間として設定された所定の時間を超過していない場合は、応答時間超過有無判定部118における処理に戻される。見守り許可要求受信情報の送信からの経過時間が、応答時間として設定された所定の時間を超過していた場合は、見守り管理サーバ1の見守り拒否情報送信部120が見守り拒否情報を第二情報端末4に送信し（S120）、第二情報端末4の見守り拒否情報受信部420がその情報を受信する（S420）。
【００５９】
図7は、本発明における見守り時のステップの例を示すフロー図である。
【００６０】
図7のフローチャートは、見守り管理サーバ1上での処理として、第一情報端末3及び第二情報端末4に見守りを開始したことを通知するステップ（見守り開始通知送信ステップS121）と、見守りの実行時間の計測を開始するステップ（見守り実行時間計測開始ステップS122）と、第一情報端末3上で、予めインストールされた特定のアプリケーションソフトウエアに基づく操作が行われた旨、若しくは該アプリケーションソフトウエアが起動又は終了された旨のアプリケーションソフトウエア動作情報が前記第一情報端末3から送信された場合に該動作情報を受信するステップ（アプリケーションソフトウエア動作情報受信ステップS123）と、前記アプリケーションソフトウエア動作情報の受信の有無を判定するステップ（アプリケーションソフトウエア動作情報受信有無判定ステップS124）と、前記アプリケーションソフトウエア動作情報受信有無判定ステップS124において前記アプリケーションソフトウエア動作情報を受信したと判定された場合に、第一情報端末3上で前記アプリケーションソフトウエアが動作した旨の報告情報を第二情報端末4に送信するステップ（アプリケーションソフトウエア動作報告送信ステップS125）と、前記アプリケーションソフトウエア動作情報受信有無判定ステップS124において該動作情報を受信していないと判定された場合に、前記アプリケーションソフトウエア動作情報を受信していない時間が、予め設定された限界時間を超過したか否かを判定するステップ（アプリケーションソフトウエア無起動限界時間超過有無判定ステップS126）と、前記アプリケーションソフトウエア動作情報の受信がなかった時間が予め設定された限界時間内を超過していると判定された場合に第二情報端末4に異常検知情報を送信するステップ（異常検知情報送信ステップS127）を、第一情報端末3上での処理として、見守り管理サーバ1より送信された、見守りを開始したことの通知を受信するステップ（見守り開始通知受信ステップS321）と、予めインストールされた特定のアプリケーションソフトウエアに基づく操作が行われた旨、若しくは該アプリケーションソフトウエアが起動又は終了された旨のアプリケーションソフトウエア動作情報を見守り管理サーバ1に送信するステップ（アプリケーションソフトウエア動作情報送信ステップS323）を、第二情報端末4上での処理として、見守り管理サーバ1より送信された、見守りを開始した旨の通知を受信するステップ（見守り開始通知受信ステップS421）と、見守り管理サーバ1より送信された、第一情報端末3の所持者が該アプリケーションソフトウエアを起動した旨の報告情報を受信するステップ（アプリケーションソフトウエア起動報告受信ステップS425）と、見守り管理サーバ1より送信される異常検知情報を受信するステップ（異常検知情報受信ステップS427）を、第三情報端末5上での処理として、見守り管理サーバ1より送信される異常検知情報を受信するステップ（異常検知情報受信ステップS527）を備える。
【００６１】
上述の見守り許可のステップの結果、見守りが開始された場合、見守り管理サーバ1の見守り開始通知送信部121が第一情報端末3及び第二情報端末4に見守りを開始したことを通知し（S121）、第一情報端末3及び第二情報端末4の見守り開始通知受信部321、421がその通知を受信する（S321、S421）。
【００６２】
見守り管理サーバ1の見守り開始通知送信部121が第一情報端末3及び第二情報端末4に見守りを開始したことを通知した際、見守り管理サーバ1の見守り実行時間計測開始部122は、見守りの実行時間の計測を開始する（S122）。この見守り実行時間の起算時は、原則的には、見守り開始時、若しくは後述する安否確認情報受信時、即ち異常検知に対して見守られる側の安否を確認し、今までの見守り実行時間をリセットして再び見守りを開始する時、とすることが好ましい。
【００６３】
第一情報端末3上で、予めインストールされた特定のアプリケーションソフトウエアに基づく操作が行われた場合、若しくは該アプリケーションソフトウエアが起動又は終了された場合、第一情報端末3のアプリケーションソフトウエア動作情報送信部323が、そのアプリケーションソフトウエアが動作した旨のアプリケーションソフトウエア動作情報を見守り管理サーバ1に送信し（S323）、見守り管理サーバ1のアプリケーションソフトウエア動作情報受信部123が、その動作情報を受信する（S123）。
【００６４】
その際、送信可能なアプリケーションソフトウエア動作情報を第一情報端末3上で形成するための手段として、例えば、前記第一情報端末3以外の一又は複数の情報端末（例えば、符号4、5、5）がインターネットWを介して接続されるとともに、前記アプリケーションソフトウエアが前記第一情報端末3以外の情報端末（例えば、符号4、5、5）にもインストールされ、該アプリケーションソフトウエアが、(1)前記第一情報端末3以外の情報端末（例えば、符号4、5、5）での処理を実行するためのプログラムであって、該アプリケーションソフトウエアに基づく操作を行うことにより前記第一情報端末3へ伝送データを送信する処理を実行するためのプログラム、及び、(2)前記第一情報端末3での処理を実行するためのプログラムであって、前記第一情報端末3以外の情報端末（例えば、符号4、5、5）より送信された伝送データを前記第一情報端末3が受信した際に、該第一情報端末3にダイアログ画面を表示する処理を実行するためのプログラム、を含み、前記第一情報端末3上での処理として、前記第一情報端末3以外の情報端末（例えば、符号4、5、5）より送信された伝送データを前記第一情報端末3が受信した際に、ダイアログ画面を表示するステップと、前記第一情報端末3の所持者が前記ダイアログ画面で指定された操作を行った際に、前記アプリケーションソフトウエアに基づく操作が行われた旨のアプリケーションソフトウエア動作情報を前記見守り管理サーバ1へ送信するステップ（S323）と、を含む構成にしてもよい。これにより、第一情報端末3の所持者がダイアログ画面で指定された操作を行うだけでアプリケーションソフトウエア動作情報を管理サーバ1へ送信できるため、見守りサーバ1へのアプリケーションソフトウエア動作情報の送信の回数・頻度を増加させることができる。
【００６５】
また、例えば、前記アプリケーションソフトウエアがインターネットW上の特定のコンテンツにアクセスする処理を実行するためのプログラムを含み、前記第一情報端末3上の処理として、前記第一情報端末3の所持者による該端末3上での操作により前記アプリケーションソフトウエアが起動又は終了された際に、該アプリケーションソフトウエアが起動又は終了された旨のアプリケーションソフトウエア動作情報を前記見守り管理サーバ1へ送信するステップ（S323）を含む構成にしてもよい。これにより、第一情報端末の所持者がインターネットW上の特定のコンテンツにアクセスするだけでアプリケーションソフトウエア動作情報を管理サーバ1へ送信できるため、見守りサーバ1へのアプリケーションソフトウエア動作情報の送信の回数・頻度を増加させることができる。
【００６６】
見守り管理サーバ1のアプリケーションソフトウエア動作情報受信有無判定部124は、アプリケーションソフトウエア動作情報の受信の有無を判定し（S124）、アプリケーションソフトウエア動作情報受信有無判定部124において該動作情報を受信したと判定された場合には、見守り管理サーバ1のアプリケーションソフトウエア動作報告送信部125が、第一情報端末3上で前記アプリケーションソフトウエアが動作した旨の報告情報を第二情報端末4に送信し（S125）、第二情報端末4のアプリケーションソフトウエア動作報告受信部425が、その報告情報を受信する（S425）。
【００６７】
一方、アプリケーションソフトウエア動作情報受信有無判定部124において該動作情報を受信していないと判定された場合、見守り管理サーバ1のアプリケーションソフトウエア無動作限界時間超過有無判定部126は、見守り実行時間の計測値に基づき、アプリケーションソフトウエア動作情報を受信していない時間が、予め設定された限界時間を超過したか否かを判定する（S126）。そして、アプリケーションソフトウエア動作情報を受信していない時間が、予め設定された限界時間を超過していない場合は、アプリケーションソフトウエア動作情報受信有無判定部124における処理に戻される。
【００６８】
アプリケーションソフトウエア動作情報の受信がなかった時間が予め設定された限界時間内を超過していると判定された場合、見守り管理サーバ1の異常検知情報送信部127は、第二情報端末4に異常検知情報を送信し（S127）、第二情報端末4の異常検知情報受信部427はその異常検知情報を受信する（S427）。
【００６９】
ここで、例えば、異常検知情報の送信先を、前記第二情報端末4を含む複数に予め設定することが可能な構成にしてもよい。これにより、異常検知時に、第二情報端末4以外に一又は複数の第三情報端末5などにも異常検知情報の送信されるため、安否確認をより迅速かつ確実に行うことができる。その場合、異常検知時には、見守り管理サーバ1の異常検知情報送信部127は、第二情報端末4だけでなく第三情報端末5にも異常検知情報を送信し（S127）、第三情報端末5の異常検知情報受信部527は、その異常検知情報を受信する（S527）。
【００７０】
図8は、本発明における異常検知後の安否確認時のステップの例を示すフロー図である。
【００７１】
図8のフローチャートは、見守り管理サーバ1上での処理として、第二情報端末4、第三情報端末5、6のいずれかから送信された、見守られる側の利用者の安否確認情報を受信するステップ（安否確認情報受信ステップS131）と、前記安否確認情報に基づき、第一情報端末3、第二情報端末4、並びに異常検知情報の送信先として予め登録された全ての第三情報端末5に、見守られる側の利用者の安全が確認された旨を通知するステップ（安全情報通知送信ステップS132）を、第一情報端末3上での処理として、見守り管理サーバ1より送信された、安全情報を受信するステップ（安全情報通知受信ステップS332）を、第二情報端末4上での処理として、見守られる側の利用者の安否確認情報を見守り管理サーバ1に送信するステップ（安否確認情報送信ステップS431）と、見守り管理サーバ1より送信された、見守られる側の利用者の安全が確認された旨の通知を受信するステップ（安全情報通知受信ステップS432）を、第三情報端末5、6上での処理として、見守られる側の利用者の安否確認情報を見守り管理サーバ1に送信するステップ（安否確認情報送信ステップS531）と、見守り管理サーバ1より送信された、見守られる側の利用者の安全が確認された旨の通知を受信するステップ（安全情報通知受信ステップS532）を備える。
【００７２】
上記の通り、異常検知情報を、第二情報端末4の他、第二情報端末4以外の一又は複数の第三情報端末5にも通知する設定にすることができる。見守り実行者（第二情報端末4の所持者）、及び、設定に応じて見守り補助者（第三情報端末5の所持者）が、見守られる側の利用者（第一情報端末3の所持者）の安否確認を行う。そして、見守り実行者及び見守り補助者のいずれかが、見守られる側の利用者の安全の確認に成功した場合、その安全確認情報を全員に周知させるため、まず、第二情報端末4又は第三情報端末5の安否確認情報送信部431、531は、見守られる側の利用者の安否確認情報を見守り管理サーバ1に送信し（S431、S531）、見守り管理サーバ1の安否確認情報受信部131は、その安否確認情報を受信する。
【００７３】
次に、見守り管理サーバ1の安全情報通知送信部132は、安否確認情報に基づき、第一情報端末3、第二情報端末4、並びに全ての第三情報端末5に、見守られる側の利用者の安全が確認された旨を通知し（S132）、第一情報端末3、第二情報端末4、並びに全ての第三情報端末5の安全情報通知受信部332、432、532は、その安全情報通知を受信する（S332、S432、S532）。そして、今までの見守り実行時間をリセットするとともに、再び見守りを開始する。
【図面の簡単な説明】
【００７４】
【図１】本発明に係る見守りシステムの例を示す構成図。
【図２】本発明に係る見守りシステムのうち、第一情報端末の例を示す構成図。
【図３】本発明に係る見守りシステムのうち、第二情報端末の例を示す構成図。
【図４】本発明に係る見守りシステムのうち、第三情報端末の例を示す構成図。
【図５】本発明における初期登録のステップの例を示すフロー図。
【図６】本発明における見守り許可のステップの例を示すフロー図。
【図７】本発明における見守り時のステップの例を示すフロー図。
【図８】本発明における異常検知後の安否確認時のステップの例を示すフロー図。
【符号の説明】
【００７５】
1        見守り管理サーバ
101      初期登録情報・設定情報受信部
102      初期登録情報・設定情報記憶部
111      見守り許可要求受信部
112      見守り実行者照合部
113      見守り許可要求受信情報送信部
114      タイマー計測部
116      見守り許可通知受信部
117      見守り許可有無判定部
118      応答時間超過有無判定部
119      見守り拒否通知受信部
120      見守り拒否情報送信部
121      見守り開始通知送信部
122      見守り実行時間計測開始部
123      アプリケーションソフトウエア起動情報受信部
124      アプリケーションソフトウエア起動情報受信有無判定部
125      アプリケーションソフトウエア起動報告送信部
126      アプリケーションソフトウエア無起動限界時間超過有無判定部
127      異常検知情報送信部
131      安否確認情報受信部
132      安全情報通知送信部
141      CPU
142      メモリ
143      インターネット接続部
2        ウエブサーバ
21        インターネット接続部
22        ウエブサーバコンピュータ
3        第一情報端末
300      アプリケーションソフトウエア格納部
301      初期登録情報・設定情報送信部
313      見守り許可要求受信情報受信部
314      見守り許可事前判定部
315      見守り許可意思有無判定部
316      見守り許可通知送信部
319      見守り拒否通知送信部
321      見守り開始通知受信部
3221      伝送データ受信部
3222      ダイアログ画面表示部
3223      操作有無判定部
323      アプリケーションソフトウエア起動情報送信部
332      安全情報通知受信部
341      CPU
342      メモリ
343      インターネット接続部
344      入力部
345      表示部
4        第二情報端末
400      アプリケーションソフトウエア格納部
401      初期登録情報・設定情報送信部
411      見守り許可要求送信部
420      見守り拒否情報受信部
421      見守り開始通知受信部
425      アプリケーションソフトウエア起動報告受信部
427      異常検知情報受信部
431      安否確認情報送信部
432      安全情報通知受信部
441      CPU
442      メモリ
443      インターネット接続部
444      入力部
445      表示部
5、6      第三情報端末
500        アプリケーションソフトウエア格納部
527        異常検知情報受信部
531        安否確認情報送信部
532        安全情報通知受信部
541        CPU
542        メモリ
543        インターネット接続部
544        入力部
545        表示部
【図１】
2016027450.tif 000003
【図２】
2016027450.tif 000004
【図３】
2016027450.tif 000005
【図４】
2016027450.tif 000006
【図５】
2016027450.tif 000007
【図６】
2016027450.tif 000008
【図７】
2016027450.tif 000009
【図８】
2016027450.tif 000010